(57)【要約】      （修正有）【課題】本発明は、２層の基材が剥離可能に積層され且つ下層基材の表面に２次元コードが印刷されているラベルにおいて、上層基材を剥離した後、携帯電話などの端末によって２次元コードを確実に読み取ることができるラベルを提供する。【解決手段】少なくとも上下２層の基材２，３が剥離可能に積層された積層体からなり、下層基材２の表面に２次元コード４が印刷されているラベルであって、下層基材２に、２次元コード４が印刷された領域を覆うように剥離層７１が設けられ、下層基材２に重ね合わされた上層基材３の裏面に粘着層８が設けられている。【選択図】図１
2006058767.tif 000002
【特許請求の範囲】
【請求項１】
少なくとも上下２層の基材が剥離可能に積層された積層体からなり、下層基材の表面に２次元コードが印刷されているラベルであって、
前記下層基材に、２次元コードが印刷された領域を覆うように剥離層が設けられ、前記下層基材に重ね合わされた上層基材の裏面に、粘着層が設けられていることを特徴とするラベル。
【請求項２】
前記基材が、空洞を含有する２軸延伸ポリエステル系合成紙からなる請求項１記載のラベル。
【発明の詳細な説明】
【技術分野】
【０００１】
本発明は、上層基材が剥離可能に積層された下層基材に、２次元コードが印刷されているラベルに関する。
【背景技術】
【０００２】
従来、例えば、食品や飲料などの容器、その他商品の購買意欲を喚起するため、該商品に、くじや各種キャンペーンの応募などの懸賞を付したラベル（いわゆるキャンペーンラベル）を貼付することが行われている。かかるラベルには、キャンペーンの応募方法や応募資格等が印刷されており、購入者は、例えば、ラベルを商品から剥ぎ取ってハガキなどに貼付して郵送することによりキャンペーンに参加することができる。また、近年のインターネットの普及に伴い、購入者が、キャンペーン提供者のホームページに接続し、ラベルに印刷されたキャンペーン応募資格としてのＩＤ番号を手入力することにより、キャンペーンに参加できるようにしたラベルも知られている。
このようなホームページアクセス型のキャンペーン参加システムに使用されるラベルとして、特開２００２−２７９２６８には、下層基材を隠蔽すべく粘着剤を介して上層基材が剥離可能に積層され、且つ下層基材の表面に、接続するホームページのＵＲＬとキャンペーン応募資格ＩＤ番号を記録した２次元コードが印刷されているラベルが開示されている。かかるラベルを用いたキャンペーン参加システムによれば、購入者は、上層基材を剥離し、下層基材に印刷された２次元コードを携帯電話などの端末に機械的に読みとらせることにより、ＵＲＬやＩＤ番号を手入力せずにキャンペーンに参加することができるという極めて優れた効果を有する。
【０００３】
ところで、上記公報記載のラベルは、２次元コードを携帯電話などの端末で読み取らせるため、下層基材の２次元コードは、読み取りミスを生じないように鮮明に印刷表示されていなければならない。
しかしながら、下層基材の表面には、上層基材が粘着剤を介して積層されているので、この上層基材を剥離した際に、下層基材の表面に粘着剤の一部が残って付着したり、或いは、２次元コードを表示するインキ成分の一部が粘着剤と共に剥ぎ取られる虞がある。このように粘着剤の付着やインキ成分の欠損などが生じると、携帯電話などの端末で２次元コードの情報を正確に読み取ることができないことがある。特に、２次元コードは、小さな表示セルが混在しているので、読み取りミスを起こしやすい。
また、飲料容器などにラベルを貼着した場合には、冷却後の結露や加温器による熱などによってラベルに皺などの変形が生じると、同様に２次元コードを正確に読み取ることができないことがある。
【０００４】
【特許文献１】特開２００２−２７９２６８公報、［０００９］、［００１０］など
【発明の開示】
【発明が解決しようとする課題】
【０００５】
そこで、本発明は、２層の基材が剥離可能に積層され且つ下層基材の表面に２次元コードが印刷されているラベルにおいて、上層基材を剥離した後、携帯電話などの端末によって２次元コードを確実に読み取ることができるラベルを提供することを課題とする。
【課題を解決するための手段】
【０００６】
上記課題を解決するための手段として、少なくとも上下２層の基材が剥離可能に積層された積層体からなり、下層基材の表面に２次元コードが印刷されているラベルであって、下層基材に、２次元コードが印刷された領域を覆うように剥離層が設けられ、下層基材に重ね合わされた上層基材の裏面に粘着層が設けられているラベルを提供する。
【０００７】
上記ラベルは、２次元コードが印刷された領域を覆うように下層基材の表面に剥離層が設けられているので、粘着層を有する上層基材が重ね合わされていても、該２次元コードの領域は、粘着層が弱接着又は非接着となる。従って、上層基材を剥離した際に、粘着剤の一部が付着したり、２次元コードの印刷表示が欠損することを防止でき、携帯電話などの端末を介して２次元コードを確実に読み取ることができる。
【０００８】
更に、本発明の好ましい態様では、上記基材が空洞を含有する２軸延伸ポリエステル系合成紙からなるラベルであり、かかる基材は、内部空洞によって非透明であるから隠蔽性に優れ、又、耐水性及び耐熱性を有することから、冷却又は加温され得る商品に貼付した際にも変形し難く、２次元コードの読み取りミスを防止することができる。
【発明の効果】
【０００９】
本発明のラベルは、上層基材を剥離した際、下層基材の２次元コードが印刷された領域に粘着剤が付着したり、或いは、２次元コードが欠損することを防止できる。従って、下層基材に印刷された２次元コードを携帯電話などの端末で確実に読み取ることできる。
かかるラベルは、例えば、２次元コードにキャンペーン提供者のＵＲＬや応募資格ＩＤ番号に関する情報を記録しておくことにより、ホームページアクセス型のキャンペーン用ラベルとして好適に利用できる。
【発明を実施するための最良の形態】
【００１０】
以下、本発明について、図面を参照しつつ具体的に説明する。
図１及び図２に於いて、１は、上下２層の基材２，３が剥離可能に積層されており、且つ下層基材２の表面に２次元コード４が印刷表示されているラベルを示す。かかるラベル１は、例えば、飲料容器などの商品（被貼付体）に貼付され、購入者がキャンペーンに参加できるキャンペーンラベルとして使用される。
【００１１】
下層基材２の材質は特に限定されず、例えば、普通紙、コート紙などの紙、ポリエステル系合成紙、ポリオレフィン系合成紙などの合成紙、ポリエステル系フィルム、ポリオレフィン系フィルム、ポリスチレン系フィルムなどの合成樹脂フィルムなどのシート材又は異種若しくは同種のシート材を積層接着した積層体などを用いることができる。下層基材２は、貼付した際に被貼付体の色彩などが透けることによって２次元コード４に被貼付体の色彩などが重なり像を形成しないようにするため、隠蔽性のあるものを用いることが好ましい。かかる隠蔽性のシート材としては、非透明な紙や合成紙などが例示される。また、飲料容器などにラベルを装着する場合には耐水性に優れたものを用いることが好ましく、耐水性のシート材としては、例えば合成紙や合成樹脂フィルムなどが例示される。従って、隠蔽性及び耐水性を有する点から、下層基材２としては合成紙を用いることが好ましく、中でも、層間剥離を生じず、比較的強度があり且つ寸法安定性に優れ、表面平滑性に優れていることから、内部に空洞（ボイド）を有し且つ白色を呈する２軸延伸したポリエステル系合成紙（例えば、東洋紡製、商品名：クリスパー）を用いることが好ましい。
下層基材２は、後述するＵＲＬやＩＤ番号に関する情報を記録する２次元コード４を印刷できる大きさに形成されていればその形状及び面積は特に限定されないが、栄養ドリンクの瓶やコーヒーなどの金属缶などのように、直径の小さい細型円筒状容器（例えば、直径３５〜５５ｍｍ）に貼付する場合には、貼付面に沿ってラベルが湾曲しても２次元コード４の読取り精度に優れ、更には高速で貼付できることから、一辺が１５〜２５ｍｍ、特に円筒状容器の周方向に対応する一辺が１５〜２２ｍｍの矩形状のものが好ましい。また、下層基材２の厚みは、２０〜５０μｍ程度のものを用いることができる。
【００１２】
下層基材２の裏面には、被貼付体に貼付するため、感圧型粘着剤、感熱性粘着剤などの粘着剤（又は接着剤）を塗布することにより貼着層５が設けられている。
一方、下層基材２の表面には、左右両側端部を除く中央部に、２次元コード４及び必要に応じてキャンペーン応募資格ＩＤ番号が印刷されている。かかる２次元コード４は、例えば、キャンペーン提供者のホームページ（キャンペーン用サイト）のＵＲＬとＩＤ番号に関する情報が少なくとも記録されている。尚、２次元コード４と共に表示されるＩＤ番号は、２次元コード４を読み取り可能な端末を有しない購入者のために印刷表示するものであって、この場合、購入者は、パソコンなどからキャンペーン提供者のホームページのＵＲＬを手入力して接続すると共に、このサイトからＩＤ番号を手入力することによりキャンペーンに参加することができる。
【００１３】
ここで、２次元コード４とは、情報が横方向と縦方向、つまり二次元方向に記録されたシンボルをいい、現在国内では、主としてスタック式コードとマトリックス式コードが用いられている。具体的には、ＱＲコード（ＪＩＳ  Ｘ  ０５１０）、ＰＤＦ４１７（ＩＳＯ１５４３８）、ＤａｔａＭａｔｒｉｘ（ＩＳＯ１６０２２）、ＭａｘｉＣｏｄｅ（ＩＳＯ１６０２３）、ＱＲＣｏｄｅ（ＩＳＯ１８００４）などが例示される。
かかる２次元コード４は、応募資格としてのＩＤ番号の情報を含んでおり、該ＩＤ番号は個々のラベル毎に変わる固有の情報である。かかる変化情報を含む２次元コード４は、版で画一的に印刷することができないため、オンデマンド的に印刷できる印刷方式、例えば、レーザプリンタ、インクジェットプリンタ、熱転写型インクリボンプリンタなどを用いて印刷される。中でも、高速で鮮明に印字できることからトナーによるレーザープリンタ形式で印刷することが好ましい。尚、下層基材２として上記ポリエステル系合成紙を用いた場合には、その表面平滑性から、レーザープリンタにて２次元コード４を鮮明に印刷（印字）することができる。
【００１４】
下層基材２の表面には、少なくとも２次元コード４の印刷領域を覆い、且つ部分的に接着部６を形成するように、剥離層７が設けられている。具体的に、剥離層７は、下層基材２の両側端部よりも内側であって、２次元コード４が印刷された領域に重なるように上下帯状に設けられた第１剥離層７１と、この第１剥離層７１の一側端部から所定間隔を開け且つ下層基材２の一側端部に上下帯状に設けられた第２剥離層７２と、から構成されている。従って、第１剥離層７１と第２剥離層７２の間の部分及び下層基材２の他側端部の上下帯状部分には剥離層７が設けられておらず、これらの部分は、上層基材３を積層した際に粘着剤を介して部分的に接着され得る接着部６を構成している。
剥離層７は、２次元コード４が透視でき、且つ上層基材３の裏面に設けられた粘着剤に対して弱接着又は非接着となる剥離剤を塗布することにより設けられており、例えば、シリコーン系剥離剤などを用いることができる。
【００１５】
次に、上層基材３の材質は特に限定されず、下層基材２と同様に、例えば、紙、合成紙、合成樹脂フィルムなどのシート材又は異種若しくは同種のシート材を積層接着した積層体などを用いることができる。上層基材３は、下層基材２に印刷された２次元コード４などを表面から透視できないようにするため、隠蔽性のあるものを用いることが好ましく、例えば、非透明の紙や合成紙などが例示される。また、耐水性に優れたシート材、例えば、合成紙や合成樹脂フィルムなどを用いることが好ましい。従って、隠蔽性及び耐水性を有する点から、上層基材３としては合成紙を用いることが好ましく、中でも、内部に空洞（ボイド）を有し且つ白色を呈する２軸延伸したポリエステル系合成紙（例えば、東洋紡製、商品名：クリスパー）を用いることがより好ましい。尚、上層基材２と下層基材３は、同一又は同種のシート材を用いることが好ましいが、異なる素材を用いてもよい。また、上層基材３は、下層基材２と同形状に形成され、上層基材３の厚みは、２０〜５０μｍ程度のものを用いることができる。
【００１６】
この上層基材３の表面には、商品名、広告、絵柄などの適宜の意匠表示９が印刷されており、上層基材３の裏面には、キャンペーン応募方法の説明書きやキャンペーン用サイトのＵＲＬ表示などの意匠表示９’（図１及び図２では不図示。図４に図示）が印刷されている。かかる上層基材３の裏面側の意匠表示９’は、重ね合わされる下層基材２の２次元コード４とＩＤ番号印刷に対面する領域に印刷されていることが好ましい。さらに、この裏面側の意匠表示９’は、２次元コード４などの隠蔽性を高めるため、黒色や青色などの濃色を用いた抜き文字印刷とするのが好ましい。
さらに、上層基材３の裏面全体には、下層基材２に接着するため、感圧型粘着剤などを塗布することにより粘着層８が設けられている。
【００１７】
上記下層基材２の表面に上層基材３の裏面を重ね合わすことにより、接着部６に於いて上下層基材２，３が部分的に接着され、且つ剥離層７の形成部分に於いて上下層基材２，３が弱接着（又は非接着）とされたラベル１が構成されている。
【００１８】
上記ラベル１は、図３（ａ）に示すように、通常、長尺状の離型紙１０に複数のラベル１が所定間隔を置いて仮接着されたラベル連続体１１の態様で提供され、個々のラベル１は、ラベリング装置にて容器などの被貼付体に貼付される。ラベリング装置３０は、例えば、図３（ｂ）に示すように、離型紙１０を巻取り回収する回収部３１と、離型紙１０の裏面が当接され、先端部で反転させる断面略三角形状の剥離部３２と、を備えている。このラベリング装置３０の剥離部３２に離型紙１０の裏面を沿わしながらラベル連続体１１を装填し、該離型紙１０の先端部を回収部３１に取付け、該回収部３１にて離型紙１０を巻き取りながらラベル連続体１１を移送することにより、剥離部３２の先端部に於いてラベル１が離型紙１０から離反し、剥離されたラベル１は、図示しない補助押圧部材などによって、同期して搬送されてくる被貼付体３３に貼付される。
【００１９】
図４（ａ）は、被貼付体３３として飲料缶の円筒状胴部にラベル１が貼付されたラベル付き容器を示し、このラベル１は、第２剥離層７２が円筒状胴部の周方向に対して直交するように貼付されている。
かかるラベル付き容器のラベル１は、第２剥離層７２の介在によって弱接着とされている上層基材３の一側端部を開封起点とし、この部分から上層基材３を円筒状胴部の周方向に捲ることにより、図４（ｂ）に示すように、上層基材３のみを剥離して、下層基材２の表面を露出させることができる。この際、下層基材２の表面には、２次元コード４の印刷領域を覆うように第１剥離層７１が設けられているので、上層基材３に設けられた粘着剤が下層基材２の表面に残ることはなく、又、該粘着剤によって２次元コードの印刷表示が欠損することもない。従って、携帯電話などの端末を介して２次元コードを確実に読み取ることができる。中でも、比較的粘着剤によって欠損を生じやすい印刷インキ、例えば、トナーによる印字方式にて２次元コードが印刷されている場合に特に効果的である。また、上下層基材２，３が、空洞を含有する２軸延伸ポリエステル系合成紙にて構成されている場合、耐水性及び耐熱性に優れているので、飲料容器などの冷却又は加温される商品に貼付しても、ラベル１が変形し難く、従って、下層基材２の２次元コードを確実に読み取ることができる。
そして、カメラ付き携帯電話やパソコンに接続されたスキャナーなどで正確に読み取られた情報は、例えば、特開２００２−２７９２６８に記載されたキャンペーン参加システムなどで処理され、購入者は、くじや懸賞などに応募することができる。
【００２０】
次に、上記実施形態の変形例を示す。但し、上記各実施形態と異なる部分について主として説明し、同様の構成についてはその説明を省略し、用語及び図番を援用することがある。
上記実施形態では、ラベル１の一側端部に於いて、上下帯状に剥離層７を介在させることによって上層基材３の一側端部全体が下層基材２に対し弱接着（又は非接着）とされているが、図５に示す変形例は、ラベル１の一側端部に於いて、部分的に剥離層７を介在させることによって上層基材３が下層基材２に対し部分的に弱接着（又は非接着）とされている。かかる変形例のラベル１は、例えば、図示したように、下層基材２の一側端部の上下方向に、多段状の第２剥離層７２を設け、且つ該下層基材２の表面に、粘着層８が設けられた上層基材３を重ね合わせることにより得ることができる。
このラベル１は、ラベル１の一側端部に於いて、上下層基材２，３が部分的に接着されているので、消費者がキャンペーンに応募する際に下層基材２からの上層基材３の剥離性を確保した上で、被貼付体に貼付する段階で上層基材３の側端部が下層基材２から剥離することを防止できる。例えば、上記のような剥離部３２の先端部で離型紙１０を反転させながらラベル１を剥離するラベリング装置３０を用いて貼付する場合、上層基材３のみが下層基材２から捲れる事態を防止することができる。具体的には、上記ラベリング装置３０の剥離部３２の先端部で離型紙１０を反転させた際、下層基材２は反転する離型紙１０に追従しようとし、他方、上層基材３は自己の剛性により平坦状姿勢を維持しようとする傾向にあるため、剥離部３２に於いて、上層基材３が下層基材２から捲れる虞があるが、上記変形例に係るラベル１は、その一側端部に於いて上下層基材２，３が部分的に接着されているので、下層基材２は、離型紙１０への追従よりも上層基材への追従が勝り、ラベル１装着時に上層基材３のみが捲れることを防止できる。
尚、特に図示しないが、ラベル１の一側端部のみならず、例えば他側端部に於いても、部分的に剥離層７を介在させてもよい。
【００２１】
また、上記実施形態のラベル１は、その裏面全体が被貼付体に貼付されるものを例示しているが、図６に示す変形例に係るラベル１は、一部分が被貼付体に貼付される態様のものである。具体的には、下層基材２は、２次元コード４が印刷され且つ少なくとも該２次元コード４を覆うように剥離層７が設けられた比較的大面積のコード表示部２１と、裏面に被貼付体に貼付するための貼着層５が設けられ、且つコード表示部２１よりも小面積の貼付部２２と、からなり、上層基材３は、裏面に粘着層８が設けられており、少なくとも下層基材２のコード表示部２１を覆うことができる大きさからなる。この上下層基材２，３を重ね合わせることにより、本変形例のラベル１が構成されている。尚、図示したラベル１は、上層基材３を下縁部から捲り剥がすタイプのものを例示している。
かかるラベル１は、下層基材２の貼付部２２を被貼付体に貼付し且つコード表示部２１を被貼付体から突出させた状態で使用される。このような使用態様のラベル１はＰＯＰ効果があり、又、２次元コード４の印刷されたコード表示部２１が、被貼付体に密着しないので、例えば、上記直径３５〜５５ｍｍの直径の小さい円筒状容器やＰＥＴボトルの肩部分などの３次曲面にラベル１を貼付した場合でも、下層基材２のコード表示部２１が容器外形と同曲率で湾曲しない。通常、２次元コードの表示が湾曲すると、携帯電話などの端末で読み取りミスを生じ易いが、本変形例に係るラベル１によれば、かかる読取ミスを防止できる。また、このように湾曲を小さくすると、比較的大きな２次元コードも使用でき、情報量を多くすることもできる。
【図面の簡単な説明】
【００２２】
【図１】（ａ）は、本発明のラベルの一実施形態を示す平面図（２点鎖線は、意匠印刷が施された範囲を示す。以下同じ）。（ｂ）は、同Ａ−Ａ線断面図（但し、印刷が施された部分を黒塗りつぶしで示す）。
【図２】同ラベルの分解斜視図。
【図３】（ａ）は、ラベル連続体を示す一部省略平面図。（ｂ）は、（ａ）のラベル連続体をラベリング装置に装填し、ラベルを貼付する状態を示す一部省略参考図。
【図４】（ａ）、（ｂ）は、同ラベルの使用状態を示す斜視図。
【図５】本発明のラベルの他の実施形態を示す分解斜視図。
【図６】本発明のラベルの他の実施形態を示す分解斜視図。
【符号の説明】
【００２３】
１…ラベル、２…下層基材、３…上層基材，４…２次元コード、５…貼着層、６…接着部、７…剥離層、７１…第１剥離層、７２…第２剥離層、８…粘着層、９、９’…意匠表示、１０…離型紙、１１…ラベル連続体、３０…ラベリング装置、３１…回収部、３２…剥離部、３３…被貼付体
【図１】
2006058767.tif 000003
【図２】
2006058767.tif 000004
【図３】
2006058767.tif 000005
【図４】
2006058767.tif 000006
【図５】
2006058767.tif 000007
【図６】
2006058767.tif 000008